(57)【要約】【課題】ＬＥＤ管を制御する無線モジュールの待機電力を効率良く削減することを課題とする。【解決手段】管理装置は、少なくとも一つのグループに分けられた照明の調光レベルを決定し、決定された調光レベルによる調光指示を出力する。制御装置は、調光指示に基づき、グループ内の全ての照明が消灯する状態に遷移するか否かを判定し、グループ内の全ての照明が消灯する状態に遷移すると判定された場合に、照明に電力供給を行なう電源装置に対して、対応するグループの照明への電力供給を停止させる指示を出力する。【選択図】図１
2016024869.tif 000002
【特許請求の範囲】
【請求項１】
管理装置と制御装置とを有する照明システムであって、
前記管理装置は、
少なくとも一つのグループに分けられた照明の調光レベルを決定する決定部と、
決定された前記調光レベルによる調光指示を出力する調光指示出力部と、を有し、
前記制御装置は、
前記調光指示に基づき、前記グループ内の全ての前記照明が消灯する状態に遷移するか否かを判定する判定部と、
前記グループ内の全ての前記照明が消灯する状態に遷移すると判定された場合に、前記照明に電力供給を行なう電源装置に対して、対応する前記グループの前記照明への電力供給を停止させる指示を出力する供給指示出力部と
を有することを特徴とする照明システム。
【請求項２】
前記判定部は、前記グループ内の全ての前記照明が消灯している状態において、前記グループ内で少なくとも一つの前記照明が点灯する状態に遷移するか否かを判定し、
前記供給指示出力部は、前記グループ内で少なくとも一つの前記照明が点灯する状態に遷移すると判定された場合に、前記電源装置に対して、対応する前記グループの前記照明への電力供給を開始させる指示を出力することを特徴とする請求項１に記載の照明システム。
【請求項３】
前記制御装置は、
前記調光指示に基づき、前記照明の調光制御を行なう調光制御部をさらに有することを特徴とする請求項１又は２に記載の照明システム。
【請求項４】
前記決定部は、外光による照度の大きさに応じてグループ分けされた前記照明の目標照度を達成するための前記調光レベルを決定し、
前記供給指示出力部は、前記グループごとに配置された前記電源装置に対して前記指示を出力することを特徴とする請求項１〜３の何れか一つに記載の照明システム。
【請求項５】
前記照明は、前記電源装置ごとにグループ分けされており、
前記決定部は、異なる前記電源装置からの電力供給を受ける、所定範囲内の複数の前記照明の目標照度を達成するための前記調光レベルを決定し、
前記供給指示出力部は、前記グループごとに配置された前記電源装置に対して前記指示を出力することを特徴とする請求項１〜３の何れか一つに記載の照明システム。
【請求項６】
前記決定部は、組織又は領域ごとにグループ分けされた前記照明の前記調光レベルを決定し、
前記供給指示出力部は、前記グループごとに配置された前記電源装置に対して前記指示を出力することを特徴とする請求項１〜３の何れか一つに記載の照明システム。
【請求項７】
前記照明システムは、電源装置をさらに有し、
前記電源装置は、
前記制御装置によって出力された前記指示に従って、前記照明へ電力を供給する電源を制御する電源制御部を有することを特徴とする請求項１〜６の何れか一つに記載の照明システム。
【請求項８】
前記管理装置と前記制御装置とが一体型であることを特徴とする請求項１〜７の何れか一つに記載の照明システム。
【請求項９】
前記制御装置と前記電源装置とが一体型であることを特徴とする請求項１〜７の何れか一つに記載の照明システム。
【発明の詳細な説明】
【技術分野】
【０００１】
本発明は、照明システムに関する。
【背景技術】
【０００２】
従来、無線モジュールの小型化や低価格化により、各機器を、ネットワーク配線をせずに制御できることが知られている。これにより、商業施設やオフィス等が入居するビルでは、ＢＥＭＳ（Building  Energy  Management  System）等により、照明として利用されるＬＥＤ（Light  Emitting  Diode）管それぞれに対して、省エネルギーや快適性を求めた制御が行なわれるようになってきている。
【０００３】
省エネルギーの制御に関して、特許文献１（特開２０１０−２０６９１４号公報）では、リモートコントローラが付随しない電気機器への通電を、該電気機器への電源供給路上に設けられた電源スイッチをリモート制御することにより、待機電力等の電力を削減する技術が開示されている。また、特許文献２（特開２０１１−０７８１７７号公報）では、電源プラグ接続手段に供給する供給電力値が待機電力値に相当するかを検出した後、所定時間が経過したら、電源プラグ接続手段に対する電力供給を停止する技術が開示されている。
【発明の概要】
【発明が解決しようとする課題】
【０００４】
しかしながら、上述した従来技術では、ＬＥＤ管を制御する無線モジュールの待機電力を効率良く削減することが困難であるという問題がある。具体的には、上述した従来技術は、待機電力を削減するための技術が開示されているものの、手動による制御や、電源タップを利用した制御であるため、無線モジュールを用いて膨大な数のＬＥＤ管を制御する際の待機電力の削減には適用できない。また、膨大な数のＬＥＤ管を利用する場合は、省エネルギーのために一部のＬＥＤ管を点灯させたとしても、待機電力は相当な量になるため、この待機電力をいかに削減するかが重要である。
【０００５】
本発明は、上記に鑑みてなされたものであって、ＬＥＤ管を制御する無線モジュールの待機電力を効率良く削減することが可能である照明システムを提供することを目的とする。
【課題を解決するための手段】
【０００６】
上述した課題を解決し、目的を達成するため、本発明に係る照明システムは、管理装置と制御装置とを有する照明システムであって、前記管理装置は、少なくとも一つのグループに分けられた照明の調光レベルを決定する決定部と、決定された前記調光レベルによる調光指示を出力する調光指示出力部と、を有し、前記制御装置は、前記調光指示に基づき、前記グループ内の全ての前記照明が消灯する状態に遷移するか否かを判定する判定部と、前記グループ内の全ての前記照明が消灯する状態に遷移すると判定された場合に、前記照明に電力供給を行なう電源装置に対して、対応する前記グループの前記照明への電力供給を停止させる指示を出力する供給指示出力部とを有する。
【発明の効果】
【０００７】
本発明の一つの様態によれば、ＬＥＤ管を制御する無線モジュールの待機電力を効率良く削減することができるという効果を奏する。
【図面の簡単な説明】
【０００８】
【図１】図１は、実施の形態１に係る照明システムのシステム構成例を示す図である。
【図２】図２は、実施の形態１に係る管理装置のハードウェア構成例を示すブロック図である。
【図３】図３は、実施の形態１に係る制御装置のハードウェア構成例を示すブロック図である。
【図４】図４は、実施の形態１に係る電源装置のハードウェア構成例を示すブロック図である。
【図５】図５は、実施の形態１に係る管理装置、制御装置及び電源装置の機能構成例を示すブロック図である。
【図６】図６は、実施の形態１に係る照明システムによる処理の流れの例を示す処理シーケンス図である。
【図７】図７は、実施の形態２に係る照明システムのシステム構成例を示す図である。
【図８】図８は、実施の形態２に係るＬＥＤ管の目標照度の例を説明する図である。
【図９】図９は、実施の形態２に係る管理装置、制御装置及び電源装置の機能構成例を示すブロック図である。
【図１０】図１０は、実施の形態２に係る照明システムによる処理の流れの例を示す処理シーケンス図である。
【図１１】図１１は、実施の形態３に係る照明システムのシステム構成例を示す図である。
【図１２】図１２は、実施の形態３に係るＬＥＤ管の目標照度の例を説明する図である。
【図１３】図１３は、実施の形態３に係る管理装置、制御装置及び電源装置の機能構成例を示すブロック図である。
【図１４】図１４は、実施の形態３に係る照明システムによる処理の流れの例を示す処理シーケンス図である。
【図１５】図１５は、実施の形態４に係る照明システムのシステム構成例を示す図である。
【図１６】図１６は、実施の形態４に係る待機電力の削減の例を説明する図である。
【図１７】図１７は、実施の形態４に係る管理装置、制御装置及び電源装置の機能構成例を示すブロック図である。
【図１８】図１８は、実施の形態４に係る照明システムによる処理の流れの例を示す処理シーケンス図である。
【発明を実施するための形態】
【０００９】
以下に添付図面を参照して、本発明に係る照明システムの実施の形態を説明する。なお、以下の実施の形態により本発明が限定されるものではない。また、各実施の形態は、内容を矛盾させない範囲で適宜組み合わせることができる。
【００１０】
（実施の形態１）
［実施の形態１に係るシステム構成］
図１を用いて、実施の形態１に係る照明システムのシステム構成を説明する。図１は、実施の形態１に係る照明システムのシステム構成例を示す図である。
【００１１】
図１に示すように、照明システム１には、管理装置１０と、制御装置２０と、電源装置３０と、複数のＬＥＤ管とが含まれる。これらのうち、管理装置１０は、照明システム１において省エネルギーを実現するための処理を制御する制御元となる装置である。例えば、管理装置１０は、ＢＥＭＳ等である。管理装置１０は、ＬＥＤ管を調光するためのアルゴリズムを実行することによりＬＥＤ管の調光レベルを決定し、ＬＥＤ管に対する調光指示を出力する。ＬＥＤ管を調光するためのアルゴリズムは、照明システム１において省エネルギーを実現するための任意のアルゴリズムである。
【００１２】
制御装置２０は、無線モジュールを有し、管理装置１０によって出力された調光指示をもとに、ＬＥＤ管の調光制御を行なう。すなわち、制御装置２０は、制御元である管理装置１０による調光制御を仲介し、ＬＥＤ管の調光制御を行なう。また、制御装置２０は、管理装置１０によって出力された調光指示をもとに、照明システム１に含まれたＬＥＤ管の全てが消灯する状態に遷移するか否かを判定する。そして、制御装置２０は、ＬＥＤ管の全てが消灯する状態に遷移すると判定した場合に、ＬＥＤ管に電力供給を行なう電源装置３０に対して、ＬＥＤ管への電力供給を停止させる指示を出力する。
【００１３】
電源装置３０は、ＬＥＤ管に対して電力供給を行なう。また、電源装置３０は、制御装置２０からの指示に従い、ＬＥＤ管への電力供給を開始したり停止したりする。ＬＥＤ管は、無線モジュールを有し、通信により制御される機器の一例である。実施の形態１では、照明システム１に含まれる複数のＬＥＤ管全てが一つのグループであるものとして説明する。例えば、ＬＥＤ管は、制御装置２０による調光制御に従い調光される。無線モジュールは各ＬＥＤ管に搭載されるため、ＬＥＤ管が消灯している状態であっても、制御装置２０からの無線による調光制御に従うために電力が消費される。このようなＬＥＤ管は、ひとつのフロアで数百本設置されることがあり、無線モジュールの待機電力だけでも全体としてかなりの電力を消費する。
【００１４】
つまり、照明システム１では、ＬＥＤ管を調光するためのアルゴリズムの実行に応じて出力された調光指示をもとに、待機電力が発生する無線モジュールを有するＬＥＤ管の全てが消灯する状態に遷移する場合に、ＬＥＤ管への電力供給を停止させる。この結果、照明システム１は、膨大な数のＬＥＤ管を制御する無線モジュールの待機電力を効率良く削減することができる。
【００１５】
［管理装置のハードウェア構成］
次に、図２を用いて、実施の形態１に係る管理装置１０のハードウェア構成を説明する。図２は、実施の形態１に係る管理装置１０のハードウェア構成例を示すブロック図である。
【００１６】
図２に示すように、管理装置１０は、ＣＰＵ（Central  Processing  Unit）１２と、ＲＡＭ（Random  Access  Memory）１３と、ＲＯＭ（Read  Only  Memory）１４と、通信Ｉ／Ｆ（Interface）１５とを有する。これらのハードウェアは、バス１１により互いに接続される。
【００１７】
ＣＰＵ１２は、管理装置１０の動作を統括的に制御する。ＣＰＵ１２は、ＲＡＭ１３をワークエリア（作業領域）として、ＲＯＭ１４等に格納されたプログラムを実行することで、管理装置１０全体の動作を制御する。通信Ｉ／Ｆ１５は、外部装置（例えば、制御装置２０等）と通信するためのインタフェースである。
【００１８】
［制御装置のハードウェア構成］
次に、図３を用いて、実施の形態１に係る制御装置２０のハードウェア構成を説明する。図３は、実施の形態１に係る制御装置２０のハードウェア構成例を示すブロック図である。
【００１９】
図３に示すように、制御装置２０は、ＣＰＵ２２と、ＲＡＭ２３と、ＲＯＭ２４と、通信Ｉ／Ｆ２５とを有する。これらのハードウェアは、バス２１により互いに接続される。ＣＰＵ２２は、制御装置２０の動作を統括的に制御する。ＣＰＵ２２は、ＲＡＭ２３をワークエリア（作業領域）として、ＲＯＭ２４等に格納されたプログラムを実行することで、制御装置２０全体の動作を制御する。通信Ｉ／Ｆ２５は、外部装置（例えば、管理装置１０や電源装置３０、ＬＥＤ管等）と通信するためのインタフェースである。
【００２０】
［電源装置のハードウェア構成］
次に、図４を用いて、実施の形態１に係る電源装置３０のハードウェア構成を説明する。図４は、実施の形態１に係る電源装置３０のハードウェア構成例を示すブロック図である。
【００２１】
図４に示すように、電源装置３０は、ＣＰＵ３２と、ＲＡＭ３３と、ＲＯＭ３４と、通信Ｉ／Ｆ３５とを有する。これらのハードウェアは、バス３１により互いに接続される。ＣＰＵ３２は、電源装置３０の動作を統括的に制御する。ＣＰＵ３２は、ＲＡＭ３３をワークエリア（作業領域）として、ＲＯＭ３４等に格納されたプログラムを実行することで、電源装置３０全体の動作を制御する。通信Ｉ／Ｆ３５は、外部装置（例えば、制御装置２０等）と通信するためのインタフェースである。
【００２２】
［実施の形態１に係る機能構成］
次に、図５を用いて、実施の形態１に係る管理装置１０、制御装置２０及び電源装置３０の機能構成を説明する。図５は、実施の形態１に係る管理装置１０、制御装置２０及び電源装置３０の機能構成例を示すブロック図である。
【００２３】
図５に示すように、管理装置１０は、実行部１１０と、調光指示出力部１２０と、通信部１３０とを有する。上記各部は、これらの一部又は全てがソフトウェア（プログラム）で実現されても良いし、ハードウェア回路で実現されても良い。
【００２４】
実行部１１０は、ＬＥＤ管等の照明を調光するためのアルゴリズムを実行し、ＬＥＤ管の調光レベルを決定する。かかる実行部１１０は、「決定部」の一例である。実行部１１０によって実行されるアルゴリズムは、任意のもので良いが、省エネルギーを実現するためのアルゴリズムである方が好ましい。より具体的には、実行部１１０は、省エネルギーを実現するためのアルゴリズムであって、各ＬＥＤ管を調光するためのアルゴリズムを実行する。アルゴリズムの実行結果となるＬＥＤ管の調光情報は、段階的に指定可能であるものとする。例えば、ＬＥＤ管の調光情報は、明るさの状態によって１〜５の５段階のレベルに分けられ、０％を消灯している状態とし、１００％を最も明るい状態であるものとして、「レベル１：０％」、「レベル２：２５％」、「レベル３：５０％」、「レベル４：７５％」、「レベル５：１００％」のように表すことができる。また、ＬＥＤ管の調光情報には、何れのＬＥＤ管に対する調光であるかを表す情報等も含まれる。なお、上述した調光情報の段階のレベル分けは一例である。
【００２５】
調光指示出力部１２０は、ＬＥＤ管等の照明に対する調光指示を出力する。より具体的には、調光指示出力部１２０は、実行部１１０におけるアルゴリズムの実行による各ＬＥＤ管の調光情報を含む調光指示を、通信部１３０を介して、制御装置２０に対して送信する。通信部１３０は、管理装置１０と制御装置２０との通信を制御する。例えば、通信部１３０は、調光指示出力部１２０によって出力された調光指示を、制御装置２０に対して送信する。
【００２６】
制御装置２０は、通信部２１０と、判定部２２０と、供給指示出力部２３０と、調光制御部２４０とを有する。上記各部は、これらの一部又は全てがソフトウェア（プログラム）で実現されても良いし、ハードウェア回路で実現されても良い。
【００２７】
通信部２１０は、管理装置１０と制御装置２０との通信を制御する。例えば、通信部２１０は、管理装置１０によって送信された調光指示を受信し、判定部２２０と調光制御部２４０とに対して出力する。また、通信部２１０は、制御装置２０と電源装置３０との通信を制御する。例えば、通信部２１０は、後述する供給指示出力部２３０によって出力された指示を、電源装置３０に対して送信する。また、通信部２１０は、制御装置２０と各ＬＥＤ管との通信を制御する。例えば、通信部２１０は、後述する調光制御部２４０によって出力された調光制御情報を、各ＬＥＤ管に対して送信する。
【００２８】
判定部２２０は、調光指示をもとに、ＬＥＤ管等の照明全てが消灯する状態に遷移するか否かを判定する。より具体的には、判定部２２０は、管理装置１０によって送信された調光指示を受け付けると、受け付けた調光指示に含まれる調光情報と、ＬＥＤ管の現在の点灯状態とをもとに、全てのＬＥＤ管が消灯する状態に遷移するか否かを判定する。ＬＥＤ管の現在の点灯状態は、後述する調光制御部２４０による調光制御結果等から、制御装置２０で保持させておいても良いし、各ＬＥＤ管から適宜取得しても良い。そして、判定部２２０は、全てのＬＥＤ管が消灯する状態に遷移すると判定した場合に、全てのＬＥＤ管が消灯する状態に遷移する旨を、供給指示出力部２３０に対して出力する。
【００２９】
また、判定部２２０は、ＬＥＤ管等の照明全てが消灯している状態において、少なくとも一つが点灯する状態に遷移するか否かを判定する。より具体的には、判定部２２０は、管理装置１０によって送信された調光指示を受け付けると、受け付けた調光指示に含まれる調光情報と、ＬＥＤ管の現在の点灯状態とをもとに、全てのＬＥＤ管が消灯している状態から、少なくとも一つが点灯する状態に遷移するか否かを判定する。そして、判定部２２０は、全てのＬＥＤ管が消灯している状態において、少なくとも一つが点灯する状態に遷移すると判定した場合に、全てのＬＥＤ管が消灯している状態から少なくとも一つが点灯する状態に遷移する旨を、供給指示出力部２３０に対して出力する。
【００３０】
供給指示出力部２３０は、判定部２２０による判定結果に応じて、電源装置３０に対して、ＬＥＤ管等の照明への電力供給を停止させる指示や、開始させる指示を出力する。より具体的には、供給指示出力部２３０は、判定部２２０によって、全てのＬＥＤ管が消灯する状態に遷移すると判定された場合に、通信部２１０を介して、電源装置３０に対してＬＥＤ管への電力供給を停止させる指示を出力する。また、供給指示出力部２３０は、判定部２２０によって、全てのＬＥＤ管が消灯している状態から少なくとも一つが点灯する状態に遷移すると判定された場合に、通信部２１０を介して、電源装置３０に対してＬＥＤ管への電力供給を開始させる指示を出力する。
【００３１】
調光制御部２４０は、調光指示をもとに、ＬＥＤ管等の照明の調光制御を行なう。より具体的には、調光制御部２４０は、管理装置１０によって送信された調光指示を受け付けると、受け付けた調光指示に含まれる調光情報を、通信部２１０を介して各ＬＥＤ管に送信し、各ＬＥＤ管の調光制御を行なう。これにより、各ＬＥＤ管では、調光情報の各段階に応じた調光（消灯の状態を含む）が行なわれる。
【００３２】
電源装置３０は、通信部３１０と、電源制御部３２０とを有する。上記各部は、これらの一部又は全てがソフトウェア（プログラム）で実現されても良いし、ハードウェア回路で実現されても良い。
【００３３】
通信部３１０は、電源装置３０と制御装置２０との通信を制御する。例えば、通信部３１０は、制御装置２０によって送信された電力供給に関する指示を受信し、電源制御部３２０に対して出力する。電源制御部３２０は、電力供給に関する指示をもとに、ＬＥＤ管等の照明へ供給する電力の電源を制御する。例えば、電源制御部３２０は、ＬＥＤ管への電力供給を停止させる指示を受け付けた場合に、電源をオフにするための制御を行なう。また、電源制御部３２０は、ＬＥＤ管への電力供給を開始させる指示を受け付けた場合に、電源をオンにするための制御を行なう。
【００３４】
［実施の形態１に係る処理シーケンス］
次に、図６を用いて、実施の形態１に係る照明システム１による処理の流れを説明する。図６は、実施の形態１に係る照明システム１による処理の流れの例を示す処理シーケンス図である。
【００３５】
図６に示すように、管理装置１０において、実行部１１０は、各ＬＥＤ管を調光するためのアルゴリズムを実行し、各ＬＥＤ管に対する調光情報を出力する（ステップＳ１０１）。調光指示出力部１２０は、実行部１１０におけるアルゴリズムの実行による各ＬＥＤ管の調光情報を含む調光指示を、通信部１３０を介して、制御装置２０に対して送信する（ステップＳ１０２）。
【００３６】
制御装置２０において、判定部２２０は、管理装置１０によって送信された調光指示と、ＬＥＤ管の現在の点灯状態とをもとに、全てのＬＥＤ管が消灯している状態から少なくとも一つが点灯する状態に遷移するか否かを判定する（ステップＳ１０３）。このとき、判定部２２０によって、全てのＬＥＤ管が消灯している状態から少なくとも一つが点灯する状態に遷移すると判定された場合に（ステップＳ１０３：Ｙｅｓ）、供給指示出力部２３０は、通信部２１０を介して、電源装置３０に対してＬＥＤ管への電力供給を開始させる指示を出力する（ステップＳ１０４）。これにより、電源装置３０において、電源制御部３２０は、ＬＥＤ管への電力供給を開始させる指示を、通信部３１０を介して受信し、電源をオンにするための制御を行ない、ＬＥＤ管への電力供給を開始する（ステップＳ１０５）。
【００３７】
一方、判定部２２０によって、全てのＬＥＤ管が消灯している状態から少なくとも一つが点灯する状態に遷移すると判定されなかった場合に（ステップＳ１０３：Ｎｏ）、調光制御部２４０は、調光指示をもとに、各ＬＥＤ管の調光制御を行なう（ステップＳ１０６）。また、調光制御部２４０は、ステップＳ１０４の処理後に、調光指示をもとに、各ＬＥＤ管（点灯させるＬＥＤ管）の調光制御を行なう（ステップＳ１０６）。
【００３８】
また、判定部２２０は、調光指示と、ＬＥＤ管の現在の点灯状態とをもとに、全てのＬＥＤ管が消灯する状態に遷移するか否かを判定する（ステップＳ１０７）。このとき、判定部２２０によって、全てのＬＥＤ管が消灯する状態に遷移すると判定された場合に（ステップＳ１０７：Ｙｅｓ）、供給指示出力部２３０は、通信部２１０を介して、電源装置３０に対してＬＥＤ管への電力供給を停止させる指示を出力する（ステップＳ１０８）。これにより、電源装置３０において、電源制御部３２０は、ＬＥＤ管への電力供給を停止させる指示を、通信部３１０を介して受信し、電源をオフにするための制御を行ない、ＬＥＤ管への電力供給を停止する（ステップＳ１０９）。一方、判定部２２０によって、全てのＬＥＤ管が消灯する状態に遷移すると判定されなかった場合に（ステップＳ１０７：Ｎｏ）、制御装置２０は、処理を終了する。
【００３９】
［実施の形態１による効果］
照明システム１は、ＬＥＤ管を調光するためのアルゴリズムの実行結果として得られた調光指示をもとに、ＬＥＤ管の全てが消灯する状態に遷移すると判定した場合に、ＬＥＤ管への電力供給を停止させる。この結果、照明システム１は、膨大な数のＬＥＤ管を制御する無線モジュールの待機電力を効率良く削減することができる。
【００４０】
（実施の形態２）
上記実施の形態１では、全てのＬＥＤ管が消灯する状態に遷移する場合に、ＬＥＤ管への電力供給を停止させる場合を説明した。ＬＥＤ管に対する電力供給の制御については、ＬＥＤ管を複数のグループに分けたうえで、グループごとに電力供給を制御するようにしても良い。そこで、実施の形態２では、外光による照度の大きさに応じてグループ分けされたＬＥＤ管に対する電力供給の制御について説明する。
【００４１】
［実施の形態２に係るシステム構成］
図７を用いて、実施の形態２に係る照明システムのシステム構成を説明する。図７は、実施の形態２に係る照明システムのシステム構成例を示す図である。なお、実施の形態２に係る各装置のハードウェア構成は、実施の形態１に係る各装置のハードウェア構成と同様である。
【００４２】
図７に示すように、照明システム１ａには、管理装置１０ａと、制御装置２０ａ１〜制御装置２０ａｎ（ｎは自然数）と、電源装置３０１〜電源装置３０ｎと、複数のＬＥＤ管とが含まれる。すなわち、照明システム１ａには、１台の管理装置１０ａと、ｎ台の制御装置２０ａと、ｎ台の電源装置３０と、ｎグループ（グループ数がｎ）に分けられた複数のＬＥＤ管とが含まれる。
【００４３】
例えば、図７はある居室を示しており、図７左方に窓が設置されている居室とする。すなわち、図７では、窓側に近い順に、縦線で表されたＬＥＤ管をひとつのグループとし、横線で表されたＬＥＤ管をひとつのグループとし、斜線で表されたＬＥＤ管をひとつのグループとして、グループ分けされている。そして、このようなＬＥＤ管のグループごとに、制御装置２０ａ（制御装置２０ａ１〜制御装置２０ａｎ）と、電源装置３０（電源装置３０１〜電源装置３０ｎ）とが配置されている。
【００４４】
図８は、実施の形態２に係るＬＥＤ管の目標照度の例を説明する図である。例えば、図８において、グループ１は、居室の窓側により近い位置に設置されたＬＥＤ管のグループである。そして、居室の窓側に近い順に、グループ１、グループ２、グループ３、グループ４、グループ５とする。また、実線は居室内における目標照度を表し、破線は外光による照度を表し、一点鎖線は目標照度に必要な照度を表している。このようなグループは、外光による照度の大きさに応じて予め分けられる。例えば、グループ１は、外光による照度が「５００（ｌｕｘ）」程度の位置に設置された複数のＬＥＤ管により構成される。同様に、グループ５は、外光による照度が「１２０（ｌｕｘ）」程度の位置に設置された複数のＬＥＤ管により構成される。なお、外光による照度は、グループ分けのために、あるときに照度センサ等の環境センサによって測定された値を示すものである。したがって、例示した値でグループ分けすることを限定するものではない。
【００４５】
図８に示すように、窓側により近いグループ１の位置では、外光による照度「５００（ｌｕｘ）」が目標照度「４００（ｌｕｘ）」よりも大きいため、目標に必要な照度は「０（ｌｕｘ）」となる。このときのＬＥＤ管の調光情報のレベルは、「０％」となる。同様に、窓側からより遠いグループ５の位置では、外光による照度「１２０（ｌｕｘ）」だけでは目標照度「４００（ｌｕｘ）」に「２８０（ｌｕｘ）」だけ足りない（目標に必要な照度「２８０（ｌｕｘ）」）。このときのＬＥＤ管の調光情報のレベルは、「７０％」となる。
【００４６】
上述した構成において、管理装置１０ａは、外光による照度の大きさに応じてグループ分けされたＬＥＤ管の目標照度を達成するためのアルゴリズムを実行し、ＬＥＤ管に対する調光指示を出力する。制御装置２０ａは、管理装置１０ａによって出力された調光指示をもとに、照明システム１ａに含まれたグループ内の全てのＬＥＤ管が消灯する状態に遷移するか否かを判定する。そして、制御装置２０ａは、グループ内のＬＥＤ管の全てが消灯する状態に遷移すると判定した場合に、グループごとに配置された電源装置３０に対して、対応するグループのＬＥＤ管への電力供給を停止させる指示を出力する。これらにより、電源装置３０は、制御装置２０ａからの指示に従い、ＬＥＤ管への電力供給を停止する。
【００４７】
つまり、照明システム１ａは、外光による照度の大きさに応じてグループ分けされたＬＥＤ管の目標照度を達成するためのアルゴリズムを実行することで、ＬＥＤ管自体の省エネルギーを実現するとともに、目標照度に達しているグループへの電源供給を停止するので、膨大な数のＬＥＤ管を制御する無線モジュールの待機電力をより効率良く削減することができる。
【００４８】
［実施の形態２に係る機能構成］
次に、図９を用いて、実施の形態２に係る管理装置１０ａ、制御装置２０ａ及び電源装置３０の機能構成を説明する。図９は、実施の形態２に係る管理装置１０ａ、制御装置２０ａ及び電源装置３０の機能構成例を示すブロック図である。実施の形態２では、実施の形態１に係る各装置と同様の構成については同一の符号を付し、同様の構成については詳細な説明を省略する場合がある。
【００４９】
図９に示すように、管理装置１０ａは、実行部１１０ａと、調光指示出力部１２０と、通信部１３０とを有する。上記各部は、これらの一部又は全てがソフトウェア（プログラム）で実現されても良いし、ハードウェア回路で実現されても良い。
【００５０】
実行部１１０ａは、外光による照度の大きさに応じてグループ分けされたＬＥＤ管等の照明の目標照度を達成するためのアルゴリズムを実行する。より具体的には、実行部１１０ａは、目標照度が予め設定された状況において、照度センサ等の環境センサにより測定された外光による照度の大きさに応じてグループ分けされた各ＬＥＤ管の目標照度を達成するためのアルゴリズムを実行する。なお、管理装置１０ａは、調光制御するＬＥＤ管を認識しているので、グループごとに調光制御を仲介する制御装置２０ａに対して、対応する調光指示を出力する。
【００５１】
制御装置２０ａは、通信部２１０と、判定部２２０と、供給指示出力部２３０ａと、調光制御部２４０とを有する。上記各部は、これらの一部又は全てがソフトウェア（プログラム）で実現されても良いし、ハードウェア回路で実現されても良い。
【００５２】
供給指示出力部２３０ａは、判定部２２０による判定結果に応じて、グループごとに配置された電源装置３０に対して、ＬＥＤ管等の照明への電力供給を停止させる指示や、開始させる指示を出力する。より具体的には、供給指示出力部２３０ａは、判定部２２０によって、グループ内の全てのＬＥＤ管が消灯する状態に遷移すると判定された場合に、通信部２１０を介して、グループに対応する電源装置３０に対してＬＥＤ管への電力供給を停止させる指示を出力する。また、供給指示出力部２３０ａは、判定部２２０によって、グループ内の全てのＬＥＤ管が消灯している状態から少なくとも一つが点灯する状態に遷移すると判定された場合に、通信部２１０を介して、グループに対応する電源装置３０に対してＬＥＤ管への電力供給を開始させる指示を出力する。
【００５３】
電源装置３０は、通信部３１０と、電源制御部３２０とを有する。上記各部は、これらの一部又は全てがソフトウェア（プログラム）で実現されても良いし、ハードウェア回路で実現されても良い。なお、電源装置３０による処理は、実施の形態１と同様である。
【００５４】
［実施の形態２に係る処理シーケンス］
次に、図１０を用いて、実施の形態２に係る照明システム１ａによる処理の流れを説明する。図１０は、実施の形態２に係る照明システム１ａによる処理の流れの例を示す処理シーケンス図である。なお、実施の形態１に係る照明システム１による処理の流れと同様のステップについては説明を省略する場合がある。具体的には、ステップＳ２０２及びステップＳ２０３は、ステップＳ１０２及びステップＳ１０３における処理と同様である。また、ステップＳ２０５〜ステップＳ２０７及びステップＳ２０９は、ステップＳ１０５〜ステップＳ１０７及びステップＳ１０９における処理と同様である。
【００５５】
図１０に示すように、管理装置１０ａにおいて、実行部１１０ａは、外光による照度の大きさに応じてグループ分けされた各ＬＥＤ管の目標照度を達成するためのアルゴリズムを実行し、各ＬＥＤ管に対する調光情報を出力する（ステップＳ２０１）。調光指示出力部１２０は、実行部１１０ａにおけるアルゴリズムの実行による各ＬＥＤ管の調光情報を含む調光指示を、通信部１３０を介して、制御装置２０ａに対して送信する（ステップＳ２０２）。
【００５６】
制御装置２０ａにおいて、判定部２２０によって、グループ内の全てのＬＥＤ管が消灯している状態から少なくとも一つが点灯する状態に遷移すると判定された場合に（ステップＳ２０３：Ｙｅｓ）、供給指示出力部２３０ａは、通信部２１０を介して、対応する電源装置３０に対してＬＥＤ管への電力供給を開始させる指示を出力する（ステップＳ２０４）。
【００５７】
また、制御装置２０ａにおいて、判定部２２０によって、グループ内の全てのＬＥＤ管が消灯する状態に遷移すると判定された場合に（ステップＳ２０７：Ｙｅｓ）、供給指示出力部２３０ａは、通信部２１０を介して、対応する電源装置３０に対してＬＥＤ管への電力供給を停止させる指示を出力する（ステップＳ２０８）。
【００５８】
［実施の形態２による効果］
照明システム１ａは、外光による照度に応じてグループ分けされたＬＥＤ管の目標照度を達成するためのアルゴリズムを実行し、実行結果として得られた調光指示をもとに、グループ内のＬＥＤ管の全てが消灯する状態に遷移すると判定した場合に、対応するグループのＬＥＤ管への電力供給を停止させる。この結果、照明システム１ａは、膨大な数のＬＥＤ管を制御する無線モジュールの待機電力をより効率良く削減することができる。
【００５９】
（実施の形態３）
上記実施の形態２では、外光による照度の大きさに応じてグループ分けされたＬＥＤ管の目標照度を達成するためのアルゴリズムを実行する場合を説明した。ＬＥＤ管のグループ分けや実行されるアルゴリズムについては、他の形態により実現することができる。そこで、実施の形態３では、電源装置３０ごとにＬＥＤ管をグループ分けし、所定範囲内の複数のＬＥＤ管の目標照度を達成するためのアルゴリズムを実行する場合を説明する。
【００６０】
［実施の形態３に係るシステム構成］
図１１を用いて、実施の形態３に係る照明システムのシステム構成を説明する。図１１は、実施の形態３に係る照明システムのシステム構成例を示す図である。なお、実施の形態３に係る各装置のハードウェア構成は、実施の形態１に係る各装置のハードウェア構成と同様である。
【００６１】
図１１に示すように、照明システム１ｂには、管理装置１０ｂと、制御装置２０ｂと、電源装置３０１〜電源装置３０４と、複数のＬＥＤ管とが含まれる。なお、図１１では、４台の電源装置３０（電源装置３０１〜電源装置３０４）を示しているが、電源装置３０の数は４台に限られるものではない。例えば、電源装置３０の数をｎ台（ｎは自然数）とすると、照明システム１ｂには、１台の管理装置１０ｂと、１台の制御装置２０ｂと、ｎ台の電源装置３０と、ｎグループ（グループ数がｎ）に分けられた複数のＬＥＤ管とが含まれる。
【００６２】
例えば、図１１はある居室を示しており、所定範囲内の複数のＬＥＤ管それぞれを異なるグループに分け、所定範囲内の複数のＬＥＤ管をひとまとまりとしたときの目標照度を達成するように、ＬＥＤ管の調光制御を行なう。例えば、所定範囲は、互いに近傍に存在する４、５本等の所定数のＬＥＤ管が含まれる範囲とする。所定範囲に含まれるＬＥＤ管の本数は、電源装置３０の数に対応する。つまり、電源装置３０を４台設置する場合には、互いに近傍に存在する４本のＬＥＤ管をひとまとまりとする。図１１の例では、縦線で表されたＬＥＤ管をひとつのグループとし、横線で表されたＬＥＤ管をひとつのグループとし、斜線で表されたＬＥＤ管をひとつのグループとし、網掛けで表されたＬＥＤ管をひとつのグループとして、グループ分けされている。そして、縦線、横線、斜線及び網掛けで表されたＬＥＤ管のうち、互いに近傍に存在するＬＥＤ管をひとまとまりとして、このようなＬＥＤ管のグループごとに、電源装置３０（電源装置３０１〜電源装置３０４）が配置されている。
【００６３】
図１２は、実施の形態３に係るＬＥＤ管の目標照度の例を説明する図である。例えば、図１２では、居室全体の明るさが外光によって変化する場合を考える。また、目標照度は、「４００（ｌｕｘ）」とする。実線は居室内における目標照度を表し、破線は外光による照度を表し、一点鎖線は目標照度に必要な照度を表している。実施の形態３では、互いに近傍に存在する所定数のＬＥＤ管をひとまとまり（１セット）として、１セット内の全てのＬＥＤ管を点灯させた状態を、１セットでの調光情報のレベル「１００％」とし、１セット内の全てのＬＥＤ管を消灯させた状態を、１セットでの調光情報のレベル「０％」とする。
【００６４】
例えば、図１２に示すように、居室全体が「明るい」ときは、外光による照度「４００（ｌｕｘ）」が目標照度「４００（ｌｕｘ）」に達しているため、目標に必要な照度は「０（ｌｕｘ）」となる。このときの１セットでの調光情報のレベルは、「０％」となる。また、居室全体が「少し明るい」ときは、外光による照度「３００（ｌｕｘ）」だけでは目標照度「４００（ｌｕｘ）」に「１００（ｌｕｘ）」だけ足りない（目標に必要な照度「１００（ｌｕｘ）」）。このときの１セットでの調光情報のレベルは、「２５％」となる。１セットでの調光情報のレベルが「２５％」である場合には、４本のＬＥＤ管のうち１本を点灯させ、残り３本のＬＥＤ管を消灯させる。また、消灯させる３本のＬＥＤ管への電力供給は停止させて良い。このように、それぞれ別のグループに分けられた、互いに近傍に存在する４本のＬＥＤ管を１セットとして、目標照度を達成するために点灯・消灯させ、消灯させたＬＥＤ管のグループへの電力供給を停止させる。
【００６５】
上述した構成において、管理装置１０ｂは、電源装置３０ごとにグループ分けされ、異なる電源装置３０からの電力供給を受ける複数のＬＥＤ管であって、互いに近傍に存在する複数のＬＥＤ管をひとまとまりとしたときの目標照度を達成するためのアルゴリズムを実行する。そして、管理装置１０ｂは、アルゴリズムの実行結果をもとに、ＬＥＤ管に対する調光指示を出力する。制御装置２０ｂは、管理装置１０ｂによって出力された調光指示をもとに、照明システム１ｂに含まれたグループ内の全てのＬＥＤ管が消灯する状態に遷移するか否かを判定する。そして、制御装置２０ｂは、グループ内のＬＥＤ管の全てが消灯する状態に遷移すると判定した場合に、グループごとに配置された電源装置３０に対して、対応するグループのＬＥＤ管への電力供給を停止させる指示を出力する。これらにより、電源装置３０は、制御装置２０ｂからの指示に従い、ＬＥＤ管への電力供給を停止する。なお、何れの電源装置３０に対して指示を出力するかについては、各ＬＥＤ管の識別情報や、各ＬＥＤ管への電力供給を行なう電源装置３０の識別情報、各ＬＥＤ管が属するグループの識別情報等を、管理装置１０ｂや制御装置２０ｂ等に対応付けて保持させておき、識別する処理を実行すれば良い。
【００６６】
つまり、照明システム１ｂは、ＬＥＤ管を電源装置３０ごとにグループ分けし、異なる電源装置３０からの電力供給を受ける、互いに近傍に存在することを表す所定範囲内の複数のＬＥＤ管を１セットとして、１セットのＬＥＤ管の目標照度を達成するためのアルゴリズムを実行する。この結果、ＬＥＤ管自体の省エネルギーを実現するとともに、目標照度に達しているグループへの電力供給を停止するので、膨大な数のＬＥＤ管を制御する無線モジュールの待機電力をより効率良く削減することができる。
【００６７】
［実施の形態３に係る機能構成］
次に、図１３を用いて、実施の形態３に係る管理装置１０ｂ、制御装置２０ｂ及び電源装置３０の機能構成を説明する。図１３は、実施の形態３に係る管理装置１０ｂ、制御装置２０ｂ及び電源装置３０の機能構成例を示すブロック図である。実施の形態３では、実施の形態１に係る各装置と同様の構成については同一の符号を付し、同様の構成については詳細な説明を省略する場合がある。
【００６８】
図１３に示すように、管理装置１０ｂは、実行部１１０ｂと、調光指示出力部１２０と、通信部１３０とを有する。上記各部は、これらの一部又は全てがソフトウェア（プログラム）で実現されても良いし、ハードウェア回路で実現されても良い。
【００６９】
実行部１１０ｂは、電源装置３０ごとにグループ分けされたＬＥＤ管であって、異なる電源装置３０からの電力供給を受ける所定範囲内の複数のＬＥＤ管をひとまとまりとしたときの目標照度を達成するためのアルゴリズムを実行する。より具体的には、実行部１１０ｂは、異なる電源装置３０からの電力供給を受けるＬＥＤ管であって、互いに近傍に存在する所定範囲内の複数のＬＥＤ管を１セットとして、この１セットで目標照度を達成するためのアルゴリズムを実行する。そして、実行部１１０ｂは、アルゴリズムの実行結果をもとに、ＬＥＤ管に対する調光指示を出力する。
【００７０】
調光指示に含まれる調光情報はＬＥＤ管を点灯・消灯させることを表す情報であり、１本のＬＥＤ管に対する調光情報のレベルは「０％」又は「１００％」となる。つまり、１セットでの調光情報のレベルを「５０％」とする実行結果である場合には、１セットに含まれるＬＥＤ管の半数の調光情報のレベルは「１００％」となり、残り半数の調光情報のレベルは「０％」となる。なお、何れのＬＥＤ管を消灯する状態に遷移させるかについては、予め定めておけば良い。
【００７１】
例えば、ＬＥＤ管４本で１セットであり、それぞれのＬＥＤ管がグループＡ〜グループＤに属する場合には、以下のように制御すれば良い。１セットでの調光情報のレベルを「７５％」にする場合には、グループＡに属するＬＥＤ管を消灯させる。また、１セットでの調光情報のレベルを「５０％」にする場合には、グループＡ及びグループＢに属するＬＥＤ管を消灯させる。また、１セットでの調光情報のレベルを「２５％」にする場合には、グループＡ、グループＢ及びグループＣに属するＬＥＤ管を消灯させる。
【００７２】
制御装置２０ｂは、通信部２１０と、判定部２２０と、供給指示出力部２３０ｂと、調光制御部２４０とを有する。上記各部は、これらの一部又は全てがソフトウェア（プログラム）で実現されても良いし、ハードウェア回路で実現されても良い。
【００７３】
供給指示出力部２３０ｂは、判定部２２０による判定結果に応じて、グループごとに配置された電源装置３０に対して、ＬＥＤ管等の照明への電力供給を停止させる指示や、開始させる指示を出力する。より具体的には、供給指示出力部２３０ｂは、判定部２２０によって、グループ内の全てのＬＥＤ管が消灯する状態に遷移すると判定された場合に、通信部２１０を介して、グループに対応する電源装置３０に対してＬＥＤ管への電力供給を停止させる指示を出力する。また、供給指示出力部２３０ｂは、判定部２２０によって、グループ内の全てのＬＥＤ管が消灯している状態から少なくとも一つが点灯する状態に遷移すると判定された場合に、通信部２１０を介して、グループに対応する電源装置３０に対してＬＥＤ管への電力供給を開始させる指示を出力する。
【００７４】
電源装置３０は、通信部３１０と、電源制御部３２０とを有する。上記各部は、これらの一部又は全てがソフトウェア（プログラム）で実現されても良いし、ハードウェア回路で実現されても良い。なお、電源装置３０による処理は、実施の形態１と同様である。
【００７５】
［実施の形態３に係る処理シーケンス］
次に、図１４を用いて、実施の形態３に係る照明システム１ｂによる処理の流れを説明する。図１４は、実施の形態３に係る照明システム１ｂによる処理の流れの例を示す処理シーケンス図である。なお、実施の形態１に係る照明システム１による処理の流れと同様のステップについては説明を省略する場合がある。具体的には、ステップＳ３０２及びステップＳ３０３は、ステップＳ１０２及びステップＳ１０３における処理と同様である。また、ステップＳ３０５〜ステップＳ３０７及びステップＳ３０９は、ステップＳ１０５〜ステップＳ１０７及びステップＳ１０９における処理と同様である。
【００７６】
図１４に示すように、管理装置１０ｂにおいて、実行部１１０ｂは、互いに近傍に存在する所定範囲内のＬＥＤ管を１セットとしたときの目標照度を達成するためのアルゴリズムを実行し、各ＬＥＤ管に対する調光情報を出力する（ステップＳ３０１）。調光指示出力部１２０は、実行部１１０ｂにおけるアルゴリズムの実行による各ＬＥＤ管の調光情報を含む調光指示を、通信部１３０を介して、制御装置２０ｂに対して送信する（ステップＳ３０２）。
【００７７】
制御装置２０ｂにおいて、判定部２２０によって、グループ内の全てのＬＥＤ管が消灯している状態から少なくとも一つが点灯する状態に遷移すると判定された場合に（ステップＳ３０３：Ｙｅｓ）、供給指示出力部２３０ｂは、通信部２１０を介して、対応する電源装置３０に対してＬＥＤ管への電力供給を開始させる指示を出力する（ステップＳ３０４）。
【００７８】
また、制御装置２０ｂにおいて、判定部２２０によって、グループ内の全てのＬＥＤ管が消灯する状態に遷移すると判定された場合に（ステップＳ３０７：Ｙｅｓ）、供給指示出力部２３０ｂは、通信部２１０を介して、対応する電源装置３０に対してＬＥＤ管への電力供給を停止させる指示を出力する（ステップＳ３０８）。
【００７９】
［実施の形態３による効果］
照明システム１ｂは、異なる電源装置３０からの電力供給を受ける所定範囲内の複数のＬＥＤ管を１セットとしたときの目標照度を達成するためのアルゴリズムを実行し、実行結果として得られた調光指示をもとに、グループ内のＬＥＤ管の全てが消灯する状態に遷移すると判定した場合に、対応するグループのＬＥＤ管への電力供給を停止させる。この結果、照明システム１ｂは、膨大な数のＬＥＤ管を制御する無線モジュールの待機電力をより効率良く削減することができる。
【００８０】
（実施の形態４）
上記実施の形態２では、外光による照度の大きさに応じてグループ分けされたＬＥＤ管の目標照度を達成するためのアルゴリズムを実行する場合を説明した。ＬＥＤ管のグループ分けや実行されるアルゴリズムについては、他の形態により実現することができる。そこで、実施の形態４では、居室等の領域や、組織ごとにＬＥＤ管をグループ分けされたＬＥＤ管に対する電力供給の制御について説明する。
【００８１】
［実施の形態４に係るシステム構成］
図１５を用いて、実施の形態４に係る照明システムのシステム構成を説明する。図１５は、実施の形態４に係る照明システムのシステム構成例を示す図である。なお、実施の形態４に係る各装置のハードウェア構成は、実施の形態１に係る各装置のハードウェア構成と同様である。
【００８２】
図１５に示すように、照明システム１ｃには、管理装置１０ｃと、制御装置２０ｃ１〜制御装置２０ｃ３と、電源装置３０１〜電源装置３０３と、複数のＬＥＤ管とが含まれる。なお、図１５では、３台の制御装置２０ｃ（制御装置２０ｃ１〜制御装置２０ｃ３）を示しているが、制御装置２０ｃの数は３台に限られるものではない。また、図１５では、３台の電源装置３０（電源装置３０１〜電源装置３０３）を示しているが、電源装置３０の数は３台に限られるものではない。例えば、制御装置２０ｃ及び電源装置３０それぞれの数をｎ台（ｎは自然数）とすると、照明システム１ｃには、１台の管理装置１０ｃと、ｎ台の制御装置２０ｃと、ｎ台の電源装置３０と、ｎグループ（グループ数がｎ）に分けられた複数のＬＥＤ管とが含まれる。
【００８３】
例えば、図１５は、ユーザがＬＥＤ管等の照明を点灯又は消灯させる機会が多い単位である居室や会議室等を示しており、この単位でＬＥＤ管それぞれを異なるグループに分け、グループで目標照度を達成するように、ＬＥＤ管の調光制御を行なう。例えば、居室や会議室等の単位は、組織や領域の一例である。図１５の例では、「居室」に含まれるＬＥＤ管をひとつのグループとし、「会議室Ａ」に含まれるＬＥＤ管をひとつのグループとし、「会議室Ｂ」に含まれるＬＥＤ管をひとつのグループとして、グループ分けされている。そして、このようなＬＥＤ管のグループごとに、制御装置２０ｃ（制御装置２０ｃ１〜制御装置２０ｃ３）と、電源装置３０（電源装置３０１〜電源装置３０３）とが配置されている。
【００８４】
図１６は、実施の形態４に係る待機電力の削減の例を説明する図である。一般に、オフィス内では、居室や会議室単位でＬＥＤ管等の照明を点灯又は消灯させるので、領域等の単位でＬＥＤ管のグループを分ける。これにより、領域等の単位で全てのＬＥＤ管が消灯された場合には、対応するグループのＬＥＤ管への電力供給を停止させることができる。例えば、図１６に示すように、ＬＥＤ管が４本ずつ設置された４部屋の会議室（会議室Ａ〜会議室Ｄ）において、各時間帯で点灯・消灯される場合を考える。かかる場合に、グラフの白色の部分はＬＥＤ管が消灯されており、このときの待機電力が無駄になっていることがわかる。この待機電力は、会議室単位のＬＥＤ管のグループごとに電力供給を停止させることで、削減することができる。なお、居室や会議室等の領域を、組織の単位でさらに分けてグループを構成しても良い。
【００８５】
上述した構成において、管理装置１０ｃは、居室や会議室等の単位で、ＬＥＤ管を調光するためのアルゴリズムを実行し、ＬＥＤ管に対する調光指示を出力する。制御装置２０ｃは、管理装置１０ｃによって出力された調光指示をもとに、居室や会議室等のグループ単位で、ＬＥＤ管の全てが消灯する状態に遷移するか否かを判定する。そして、制御装置２０ｃは、グループ内のＬＥＤ管の全てが消灯する状態に遷移すると判定した場合に、対応するＬＥＤ管に電力供給を行なう電源装置３０に対して、ＬＥＤ管への電力供給を停止させる指示を出力する。これらにより、電源装置３０は、制御装置２０ｃからの指示に従い、ＬＥＤ管への電力供給を停止する。
【００８６】
つまり、照明システム１ｃでは、組織や領域ごとの単位でグループ分けされたＬＥＤ管を調光するためのアルゴリズムの実行に応じて出力された調光指示をもとに、グループ内のＬＥＤ管の全てが消灯する状態に遷移する場合に、対応するグループのＬＥＤ管への電力供給を停止させる。この結果、照明システム１ｃは、膨大な数のＬＥＤ管を制御する無線モジュールの待機電力を効率良く削減することができる。
【００８７】
［実施の形態４に係る機能構成］
次に、図１７を用いて、実施の形態４に係る管理装置１０ｃ、制御装置２０ｃ及び電源装置３０の機能構成を説明する。図１７は、実施の形態４に係る管理装置１０ｃ、制御装置２０ｃ及び電源装置３０の機能構成例を示すブロック図である。実施の形態４では、実施の形態１に係る各装置と同様の構成については同一の符号を付し、同様の構成については詳細な説明を省略する場合がある。
【００８８】
図１７に示すように、管理装置１０ｃは、実行部１１０ｃと、調光指示出力部１２０と、通信部１３０とを有する。上記各部は、これらの一部又は全てがソフトウェア（プログラム）で実現されても良いし、ハードウェア回路で実現されても良い。
【００８９】
実行部１１０ｃは、組織又は領域ごとにグループ分けされたＬＥＤ管等の照明を調光するためのアルゴリズムを実行する。各グループに対応して実行されるアルゴリズムは、任意のもので良いが、省エネルギーを実現するためのアルゴリズムである方が好ましい。より具体的には、実行部１１０ｃは、居室や会議室等の単位でグループ分けされたＬＥＤ管を調光するためのアルゴリズムを実行する。
【００９０】
制御装置２０ｃは、通信部２１０と、判定部２２０と、供給指示出力部２３０ｃと、調光制御部２４０とを有する。上記各部は、これらの一部又は全てがソフトウェア（プログラム）で実現されても良いし、ハードウェア回路で実現されても良い。
【００９１】
供給指示出力部２３０ｃは、グループごとに配置された電源装置に対して、ＬＥＤ管等の照明への電力供給を停止させる指示や、開始させる指示を出力する。より具体的には、供給指示出力部２３０ｃは、判定部２２０によって、グループ内の全てのＬＥＤ管が消灯する状態に遷移すると判定された場合に、通信部２１０を介して、グループに対応する電源装置３０に対してＬＥＤ管への電力供給を停止させる指示を出力する。また、供給指示出力部２３０ｃは、判定部２２０によって、グループ内の全てのＬＥＤ管が消灯している状態から少なくとも一つが点灯する状態に遷移すると判定された場合に、通信部２１０を介して、グループに対応する電源装置３０に対してＬＥＤ管への電力供給を開始させる指示を出力する。
【００９２】
電源装置３０は、通信部３１０と、電源制御部３２０とを有する。上記各部は、これらの一部又は全てがソフトウェア（プログラム）で実現されても良いし、ハードウェア回路で実現されても良い。なお、電源装置３０による処理は、実施の形態１と同様である。
【００９３】
［実施の形態４に係る処理シーケンス］
次に、図１８を用いて、実施の形態４に係る照明システム１ｃによる処理の流れを説明する。図１８は、実施の形態４に係る照明システム１ｃによる処理の流れの例を示す処理シーケンス図である。なお、実施の形態１に係る照明システム１による処理の流れと同様のステップについては説明を省略する場合がある。具体的には、ステップＳ４０２及びステップＳ４０３は、ステップＳ１０２及びステップＳ１０３における処理と同様である。また、ステップＳ４０５〜ステップＳ４０７及びステップＳ４０９は、ステップＳ１０５〜ステップＳ１０７及びステップＳ１０９における処理と同様である。
【００９４】
図１８に示すように、管理装置１０ｃにおいて、実行部１１０ｃは、組織や領域等の単位（例えば、部屋ごと）でグループ分けされた各ＬＥＤ管を調光するためのアルゴリズムを実行し、各ＬＥＤ管に対する調光情報を出力する（ステップＳ４０１）。調光指示出力部１２０は、実行部１１０ｃにおけるアルゴリズムの実行による各ＬＥＤ管の調光情報を含む調光指示を、通信部１３０を介して、制御装置２０ｃに対して送信する（ステップＳ４０２）。
【００９５】
制御装置２０ｃにおいて、判定部２２０によって、グループ内の全てのＬＥＤ管が消灯している状態から少なくとも一つが点灯する状態に遷移すると判定された場合に（ステップＳ４０３：Ｙｅｓ）、供給指示出力部２３０ｃは、通信部２１０を介して、グループに対応する電源装置３０に対してＬＥＤ管への電力供給を開始させる指示を出力する（ステップＳ４０４）。
【００９６】
また、制御装置２０ｃにおいて、判定部２２０によって、グループ内の全てのＬＥＤ管が消灯する状態に遷移すると判定された場合に（ステップＳ４０７：Ｙｅｓ）、供給指示出力部２３０ｃは、通信部２１０を介して、グループに対応する電源装置３０に対してＬＥＤ管への電力供給を停止させる指示を出力する（ステップＳ４０８）。
【００９７】
［実施の形態４による効果］
照明システム１ｃは、組織や領域等の単位でグループ分けされたＬＥＤ管を調光するためのアルゴリズムを実行し、実行結果として得られた調光指示をもとに、グループ内のＬＥＤ管の全てが消灯する状態に遷移すると判定した場合に、対応するグループのＬＥＤ管への電力供給を停止させる。この結果、照明システム１ｃは、膨大な数のＬＥＤ管を制御する無線モジュールの待機電力を効率良く削減することができる。
【００９８】
（実施の形態５）
さて、これまで本発明に係る照明システムの実施の形態について説明したが、上述した実施の形態以外にも種々の異なる形態にて実施されて良いものである。そこで、（１）構成、（２）プログラム、について異なる実施の形態を説明する。
【００９９】
（１）構成
上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。例えば、管理装置１０と制御装置２０とを一体型の装置で実現しても良い。また、例えば、制御装置２０と電源装置３０とを一体型の装置で実現しても良い。
【０１００】
また、図７等において、複数の制御装置２０ａを配置した例を説明したが、制御装置２０ａは１台であっても良い。制御装置２０ａが１台である場合には、何れの電源装置３０に対して指示を出力するかを識別するための情報を、管理装置１０ａや制御装置２０ａ等に保持させておく。例えば、各ＬＥＤ管の識別情報や、各ＬＥＤ管への電力供給を行なう電源装置３０の識別情報、各ＬＥＤ管が属するグループの識別情報等を対応付けて保持させておき、指示を出力する電源装置３０を識別する。
【０１０１】
また、上記実施の形態では、ＬＥＤ管等の照明を制御する場合を例に挙げたが、ＬＥＤ管以外にも、人感センサや温度センサ、湿度センサ、照度センサ等の通信により制御可能な機器であれば適用することができる。すなわち、待機電力が発生する機器に対して適用することができる。
【０１０２】
（２）プログラム
また、照明システム１に係る各装置で実行されるプログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、各装置で実行されるプログラムを、インターネット等のネットワークに接続されたコンピュータ上に格納し、ネットワーク経由でダウンロードさせることにより提供するようにしても良い。また、各装置で実行されるプログラムをインターネット等のネットワーク経由で提供又は配布するように構成しても良い。また、各装置で実行されるプログラムを、ＲＯＭ等に予め組み込んで提供するように構成しても良い。
【０１０３】
各装置で実行されるプログラムは、上述した各部（実行部１１０、調光指示出力部１２０）、（判定部２２０、供給指示出力部２３０、調光制御部２４０）、（電源制御部３２０）を含むモジュール構成となっており、実際のハードウェアとしてはＣＰＵ（プロセッサ）が記憶媒体から上記プログラムを読み出して実行することにより、上記各部が主記憶装置上にロードされ、実行部１１０及び調光指示出力部１２０、判定部２２０、供給指示出力部２３０及び調光制御部２４０、電源制御部３２０が主記憶装置上に生成されるようになっている。
【符号の説明】
【０１０４】
１  照明システム
１０  管理装置
２０  制御装置
３０  電源装置
１１０  実行部
１２０  調光指示出力部
１３０  通信部
２１０  通信部
２２０  判定部
２３０  供給指示出力部
２４０  調光制御部
３１０  通信部
３２０  電源制御部
【先行技術文献】
【特許文献】
【０１０５】
【特許文献１】特開２０１０−２０６９１４号公報
【特許文献２】特開２０１１−０７８１７７号公報
【図１】
2016024869.tif 000003
【図２】
2016024869.tif 000004
【図３】
2016024869.tif 000005
【図４】
2016024869.tif 000006
【図５】
2016024869.tif 000007
【図６】
2016024869.tif 000008
【図７】
2016024869.tif 000009
【図８】
2016024869.tif 000010
【図９】
2016024869.tif 000011
【図１０】
2016024869.tif 000012
【図１１】
2016024869.tif 000013
【図１２】
2016024869.tif 000014
【図１３】
2016024869.tif 000015
【図１４】
2016024869.tif 000016
【図１５】
2016024869.tif 000017
【図１６】
2016024869.tif 000018
【図１７】
2016024869.tif 000019
【図１８】
2016024869.tif 000020